(57)【特許請求の範囲】
【請求項１】
芯材を有する壁本体と、
前記壁本体の外側の表面全体を覆う防水シートと、
固定部材によって、前記防水シートを介して、前記壁本体に固定される外壁材とを有し、
前記防水シートと前記外壁材との間の、前記芯材に対応する部分に所定の厚さを有する弾性部材が配置され、
前記固定部材は前記弾性部材を貫通しており、
前記防水シートと前記外壁材との間の前記弾性部材が存在しない部分は、前記壁本体の一端から他端まで連通する空間とされた外壁材の取付構造であって、
一方の前記壁本体の芯材が他方の前記壁本体の芯材と対面する部分の外側に凹部が設けられ、
この凹部に隣り合う壁本体の防水シートの端部がそれぞれ折り込まれ、
この折り込まれた防水シート間に乾式シール材が連続して配置されると共に、
前記外壁材の接合部分において各端部が隙間をもって重なり合う形状とされ、
この重なり面の隙間に湿式シール材が連続して配置されたことを特徴とする外壁材の取付構造。
【請求項２】
請求項１において、
前記弾性部材は、弾性を有する廃材によって形成されていることを特徴とする外壁材の取付構造。
【請求項３】
請求項１において、
前記弾性部材は、廃棄プラスチックと廃棄物である粒子状の無機物固体とを含む混合材料によって形成されていることを特徴とする外壁材の取付構造。
【請求項４】
枠組みした芯材よりなる壁本体と、
前記壁本体の外側の表面全体を覆う防水シートと、
固定部材によって、前記防水シートを介して、前記壁本体に固定される外壁材とを有し、
前記防水シートと前記外壁材との間の、前記芯材に対応する部分に所定の厚さを有する弾性部材が配置され、
前記固定部材は前記弾性部材を貫通しており、
前記防水シートと前記外壁材との間の前記弾性部材が存在しない部分は前記壁本体の一端から他端まで連通する空間とされた外壁材付壁パネルであって、
一方の前記壁本体の芯材が他方の前記壁本体の芯材と対面する部分の外側に凹部が設けられ、
この凹部に隣り合う壁本体の防水シートの端部がそれぞれ折り込み可能とされ、
この折り込まれる防水シート間に乾式シール材が連続して配置可能にされると共に、
前記外壁材の接合部分において各端部が隙間をもって重なり合う形状とされ、
この重なり面の隙間に湿式シール材が連続して配置可能にされたことを特徴とする外壁材付壁パネル。
【請求項５】
壁本体の屋外側の一面に防水シートを貼付する工程と、
前記防水シート上の前記芯材に対応する位置に所定の厚さを有する弾性部材を配置する工程と、
前記弾性部材を貫通する前記固定部材によって、前記外壁材を前記壁本体に固定する工程とを含む外壁材の取付方法であって、
一方の前記壁本体の芯材が他方の前記壁本体の芯材と対面する部分の外側に予め凹部が設けられ、この凹部に隣り合う壁本体の防水シートの端部をそれぞれ折り込む工程と、
この折り込まれた防水シート間に乾式シール材を連続して配置する工程と、
前記外壁材の接合部分において各端部が隙間をもって重なり合う形状とされており、この重なり面の隙間に湿式シール材を連続して配置する工程とを含むことを特徴とする外壁材の取付方法。
【発明の詳細な説明】
【０００１】
【発明の属する技術分野】
本発明は、外壁材の取付構造、取付方法、およびそのような外壁材の取付構造を持つ外壁材付壁パネルに関する。
【０００２】
【関連技術および発明が解決しようとする課題】
外壁材を壁本体に固定するために釘やビスを圧入すると、それらの周囲に発生する微細な隙間から外壁材の内側に水が染み込むようになってしまう。従来、このような水の浸入への対策として、釘やビスの周囲を外壁材の表面側からタッチアップして水の浸入を防いだり、水の浸入によって釘やビスが打ち付けられる木製の胴縁を防腐処理して腐らないようにしたりすることが行われている。
【０００３】
しかし、外壁材の表面からのタッチアップによっては十分な止水効果が得られないことは、前述したように木製の胴縁の防腐処理が行われることからも明らかである。しかも、外壁材の表面からのタッチアップを行うことは工程を増やすことを意味するため、工数の増加ひいては建築コストの増加を招いてしまう。
【０００４】
また、外壁材と壁本体の間にはアスファルトフェルト等の防水シートが用いられるが、防水シートは圧入された釘やビス等の周囲からの浸水に対しての止水効果はない。
【０００５】
ところで、本出願人は、予め日本特許情報機構（ＪＡＰＩＯ）の先行技術調査（パトリス）によって、外壁材の取付に関する先行技術を調査し、特許出願３８件、実用新案出願８２件の調査結果を得た。この結果から、上記問題点を解決するための技術を発見することはできなかった。
【０００６】
本発明は、上記の従来技術の問題点を解決することを課題としてなされたものであって、その目的とするところは、外壁材を固定する釘やビスの周囲から壁本体への浸水を防ぐことができ、しかも工程の増加を招くことがない、外壁材の取付構造、取付方法、およびそのような取付構造を持つ外壁材付パネルを提供することにある。
【０００７】
また、本発明の他の目的は、その外壁材の取付構造に用いられる弾性部材が、従来の胴縁と同様に、外壁材と防水シートで覆われた壁本体との間の通気を確保する役割を果たすとともに、従来の木製の胴縁と異なり湿気等によって腐らない耐久性の高い外壁材の取付構造、取付方法、およびそのような取付構造を持つ外壁材付壁パネルを提供することにある。
【０００８】
【課題を解決するための手段】
上記目的を達成するため、請求項１の発明に係る外壁材の取付構造は、
芯材を有する壁本体と、
前記壁本体の外側の表面全体を覆う防水シートと、
固定部材によって、前記防水シートを介して、前記壁本体に固定される外壁材とを有し、
前記防水シートと前記外壁材との間の、前記芯材に対応する部分に所定の厚さを有する弾性部材が配置され、
前記固定部材は前記弾性部材を貫通しており、
前記防水シートと前記外壁材との間の前記弾性部材が存在しない部分は、前記壁本体の一端から他端まで連通する空間とされた外壁材の取付構造であって、
一方の前記壁本体の芯材が他方の前記壁本体の芯材と対面する部分の外側に凹部が設けられ、
この凹部に隣り合う壁本体の防水シートの端部がそれぞれ折り込まれ、
この折り込まれた防水シート間に乾式シール材が連続して配置されると共に、
前記外壁材の接合部分において各端部が隙間をもって重なり合う形状とされ、
この重なり面の隙間に湿式シール材が連続して配置されたことを特徴とする。
【０００９】
また、請求項４は、請求項１の発明に係る外壁材の取付構造を用いた壁パネルの発明を定義している。
【００１０】
請求項１または４の発明に係る外壁材の取付構造によれば、固定部材の周囲の固定部材と外壁材との間の微細な隙間に沿っての浸水は、弾性部材がその弾性によって固定部材の周囲に密着しているため、防止される。また、外壁材と固定部材との隙間等を介して外壁材の屋内側に浸入した水分が、弾性部材の周囲を迂回し、防水シートを貫通する固定部材と、防水シートとの間を通って壁本体に浸入することは、防水シートと弾性部材が密着されていることによって完全なシールを形成しているため、防止される。ここで、弾性部材とは、固定部材の全周および防水シートに密着し、固定部材と弾性部材との接触部、および防水シートと弾性部材との接触部のいずれからの浸水も防ぎうる部材である。このように、本発明に係る外壁材の取付構造によれば、特別な機構を要することなく、また、工程を増やすことなく、外壁材を固定する釘やビスの周囲から壁本体への浸水を防ぐことができる。
【００１１】
しかも、この外壁材の取付構造における弾性部材は、従来の胴縁と同様に、外壁材と防水シートが貼られた壁本体との間のスペーサとして、弾性部材相互間に連通する空間を形成する。そのため、外壁材の屋内側に、壁本体の一端から他端までの通気を確保でき、乾燥が促進されるため、カビの発生等の水分の滞留による弊害を防ぐことができる。
【００１２】
請求項４の発明によれば、上記のような作用効果を持つ壁パネルを提供することができる。
【００１３】
請求項２は、請求項１の発明に係る外壁材の取付構造において、
前記弾性部材は、弾性を有する廃材によって形成されていることを特徴とする外壁材の取付構造の発明を定義している。
【００１４】
また、請求項３は、請求項２の発明に係る外壁材の取付構造において、弾性を有する廃材として廃棄プラスチックと廃棄物である粒子状の無機物固体とを含む混合材料を用いた外壁材の取付構造の発明を定義している。
【００１５】
請求項２または３の発明に係る外壁材の取付構造によれば、弾性部材は、廃材によって形成されるため、材料コストを削減でき、しかも、資源の有効活用、および廃棄物の減量に貢献することができる。
【００１６】
請求項５の発明に係る外壁材の取付方法は、
壁本体の屋外側の一面に防水シートを貼付する工程と、
前記防水シート上の前記芯材に対応する位置に所定の厚さを有する弾性部材を配置する工程と、
前記弾性部材を貫通する前記固定部材によって、前記外壁材を前記壁本体に固定する工程とを含む外壁材の取付方法であって、
一方の前記壁本体の芯材が他方の前記壁本体の芯材と対面する部分の外側に予め凹部が設けられ、この凹部に隣り合う壁本体の防水シートの端部をそれぞれ折り込む工程と、
この折り込まれた防水シート間に乾式シール材を連続して配置する工程と、
前記外壁材の接合部分において各端部が隙間をもって重なり合う形状とされており、この重なり面の隙間に湿式シール材を連続して配置する工程とを含むことを特徴とする。
【００１７】
請求項５の発明によれば、従来の外壁材の取付方法の工程数を増やすことなく、上記のような作用効果を持つ外壁材の取付構造を得ることができる。
【００１８】
【発明の実施の形態】
以下、本発明の好適な実施例について、図面を参照しながら詳細に説明する。
【００１９】
図１〜図４は、本発明の一実施例に係る外壁材の取付構造を示す図である。本実施例の外壁材１４の取付構造は、図１に横断面図として示すように、防水シート１６で壁本体１８の屋外側の全表面を覆い、その上から壁本体１８の芯材２０に沿って弾性を持つ弾性部材１２を固定し、その弾性部材１２を挟んで壁本体１８に外壁材１４を固定部材１０によって取り付けることによって形成される。このとき固定部材１０すなわち釘あるいはビスは、弾性部材１２と防水シート１６とを貫通し、芯材２０に圧入される。また、壁本体１８の屋内側には内壁材２２がその全表面を覆うように貼付されている。
【００２０】
図２は、このようにして形成された外壁構造を持つ壁パネル３８の一部を切り欠いた斜視図である。この図によっても、芯材２０等からなる壁本体１８の屋外側の全表面を防水シート１６で覆い、その上に弾性部材１２を芯材２０に対応させて配置して固定し、さらにその上から外壁材１４が貼付されている様子がわかる。このように、弾性部材１２は、一枚の外壁材１４の裏側に上下に連続して配置される。また、弾性部材１２は、壁本体の芯材２０に対応する位置に防水シート１６を介して固定され、芯材２０とほぼ同様の幅を持つため、各弾性部材１２の間において、外壁材１４と防水シート１６との間は弾性部材１２の厚さと同様な厚さで、外壁材１４の一端から他端まで連通する空間として残される。
【００２１】
以上のように、本実施例の外壁材１４は、芯材２０と壁本体１８との間に配置された弾性部材１２と防水シート１６とを貫通する固定部材１０（図１参照）によって壁本体１８に固定される。なお、防水シート１６は、弾性部材１２と壁本体１８の間に介在し、壁本体１８の屋外側全表面を覆っている。
【００２２】
したがって、固定部材１０の周囲に沿っての浸水は、弾性部材１２がその弾性によって固定部材１０に密着しているため、弾性部材１２の部分で防止される。また、外壁材１４と固定部材１０との間に生じる微細な隙間等を介して外壁材１４の屋内側に浸入した水分が、弾性部材１２の周囲を迂回し、防水シート１６と固定部材１０との間を通って壁本体１８に浸入することは、防水シート１６と弾性部材１２がその弾性によって密着されていることによって完全な防水シールを形成しているため、防止される。
【００２３】
また、本実施例の弾性部材１２は、従来の外壁構造に用いられる胴縁と同様に、外壁材１４と防水シート１６が貼られた壁本体１８との間のスペーサとして機能し、弾性部材１２相互間に連通する空間を形成する。
【００２４】
そのため、外壁材１４の屋内側に、壁本体１８の一端から他端までの通気を確保することができ、乾燥が促進されることによって、カビの発生等の水分の滞留による弊害を防ぐことができる。
【００２５】
また、本実施例の弾性部材１２は、従来の胴縁とは異なり、半永久的に腐らない材料、例えば廃棄プラスチックと廃棄物である粒子状の無機物固体とを含む混合材料によって形成されている。その製造は、溶解しやすいように粉砕した廃棄プラスチック、例えばポリ塩化ビニルを溶解し、その溶解した廃棄プラスチック中に、廃棄物である粒子状の無機質固体、例えば灰を混合して練り合わせ、押出し成形することによって行われる。
【００２６】
したがって、弾性部材１２は、防腐処理等を施すことなく、半永久的にその形状と機能を保つことができる。さらに、この廃棄プラスチックと廃棄物である粒子状の無機物固体とを含む混合材料は、自己消火性を有するため、防火上も優れている。
【００２７】
図３は、隣接する外壁材１４および壁本体１８の左右接合部分における本実施例の外壁材１４の取付構造を示している。この場合も、壁本体１８の屋外側全表面を防水シート１６で覆い、芯材２０に対応する部分に弾性部材１２を配置している。そして、固定部材１０を外壁材１４の屋外側から圧入し、弾性部材１２と防水シート１６とを貫通させ、壁本体１８の芯材２０に圧入固定している。
【００２８】
なお、壁本体１８の左右接合部分においては、一方の壁本体１８の芯材２０が他方の壁本体１８の芯材２０と対面する部分の外壁側に凹部４０が設けられている。この凹部４０に左右の壁本体１８の屋外側表面を覆う防水シート１６がそれぞれ折り込まれている。そして、それら左右の壁本体１８から折り込まれた防水シート１６同士の間には乾式シール材４６が鉛直方向に連続して配置され、その乾式シール材４６が左右の壁本体１８から圧力を受けて防水シート１６に密着されることによって、防水シート１６の切れ目における防水を確保している。
【００２９】
また、外壁材１４の左右接合部分においては、左右の外壁材１４の端部は、それらのほぼ水平な面が幾分の隙間を持って互いに重なり合う形状に形成されており、それら重なり面４２の間に湿式シール材４４が鉛直方向に連続して配置されている。これによって、外壁材１４の左右接合部分からの浸水を防止している。
【００３０】
図４は、外壁材１４および壁本体１８の上下接続部における本実施例の外壁材１４の取付構造を示す縦断面図である。この図では弾性部材１２が配置されている部分の縦断面を示している。なお、弾性部材１２がない部分の縦断面においても、弾性部材１２の部分が空間となり、固定部材１０がない点を除いては、これと同様な縦断面となる。外壁材１４および壁本体１８の上下接続部においても、壁本体１８の屋外側全表面を防水シート１６で覆い、芯材５８に対応する部分に弾性部材１２を配置する。そして、固定部材１０を外壁材１４の屋外側から圧入し、弾性部材１２と防水シート１６を貫通させ、壁本体１８の芯材５８に圧入固定する。
【００３１】
さらに、上下の壁本体１８が対面する部分の屋外側には、壁本体１８の少なくとも一方を切り欠いた凹部６２が設けられている。上部および下部の壁本体１８に貼付された防水シート１６はそれぞれこの凹部６２に折り込まれ、それらの間に乾式シール材６０が上下の壁本体１８から圧迫された状態で水平方向に連続して配置されている。これによって、防水シート１６と乾式シール材６０が密着されるため、防水シート１６の上下不連続部分の防水を確保することができる。
【００３２】
また、外壁材１４の上下接合部分は、図４に示したように、上下の外壁材１４が一部重なり合うように形成されており、それらのほぼ水平な端面は幾分の隙間を持って対面し、その間に乾式シール材６６が上下の外壁材から圧迫を受けるようにして、水平方向に連続して配置されている。さらに、上下の外壁材１４のほぼ外壁面と平行な重なり面６８は幾分かの隙間を持って対面しており、その間に湿式シール材６４が水平方向に連続して配置されている。これらによって、外壁材１４の上下接合部分における防水が確保されている。
【００３３】
なお、本発明は前述した各実施例に限定されるものではなく、本発明の要旨の範囲内または特許請求の範囲の均等範囲内で各種の変形実施が可能である。
【００３４】
例えば、上記の実施例では、弾性部材１２は、一枚の外壁材１４の裏面側に、上下方向に切れ目なく連続して配置した例を示したが、固定部材１０が圧入される位置に対応する部分には必ず配置され、スペーサとして機能するのに十分な程度であれば、一枚の外壁材１４の範囲内であっても、上下方向にとびとびとなるように配置してもよい。
【００３５】
また、廃棄プラスチックと廃棄物である粒子状の無機物固体との混合材料によって形成される弾性部材１２において、廃棄プラスチックは、ポリ塩化ビニルに限定されることなく、ポリエチレン、ポリプロピレン等種々の廃棄プラスチックを用いることが可能である。また、廃棄物である粒子状の無機質固体も、灰に限定されず、軽量コンクリートの粉体、高炉スラグ、フライアッシュ、セラミック廃棄物等種々のものを用いることが可能である。さらに、必要に応じてフタル酸エステル、ジブチルフタレート等の可塑剤を添加することも可能である。そして、成形法は押出成形に限らず射出成形等でもよい。このような弾性部材１２であっても上記実施例と同様な作用効果を奏することができる。
【００３６】
さらに、弾性部材１２は、廃棄プラスチックと廃棄物である粒子状の無機物固体とを含む混合材料でなくとも、長期間にわたって適度な弾性を有する材料であれば、同様な防水性能を発揮することができる。
【００３７】
【発明の効果】
請求項１ないし５の発明によれば、複雑な機構や、工程の追加を要することなく、外壁材を固定する釘やビスの周囲から壁本体への浸水を防ぐことができる。
【００３８】
しかも、この外壁材の取付構造における弾性部材は、従来の胴縁と同様に、外壁材の屋内側に、壁本体の一端から他端までの通気を確保することができ、乾燥が促進されるため、カビの発生等の水分の滞留による弊害を防ぐことができる。
【００３９】
請求項２または３の発明によれば、弾性部材は、廃材によって形成されるため、材料コストを削減でき、しかも、資源の有効活用、および廃棄物の減量に貢献することができる。
【図面の簡単な説明】
【図１】本発明の一実施例に係る外壁材の取付構造を示す横断面図である。
【図２】本発明の一実施例に係る外壁材の取付構造を持つ壁パネルの一部を切り欠いた斜視図である。
【図３】外壁材および壁本体の左右接合部分における一実施例の外壁材の取付構造を示す横断面図である。
【図４】外壁材および壁本体の上下接続部における一実施例の外壁材の取付構造を示す縦断面図である。
【符号の説明】
１０  固定部材
１２  弾性部材
１４  外壁材
１６  防水シート
１８  壁本体
２０  芯材
３８  壁パネル
【図１】
0003614945.tif 000002
【図２】
0003614945.tif 000003
【図３】
0003614945.tif 000004
【図４】
0003614945.tif 000005